(57)【要約】【課題】レジ袋やゴミ袋等といった袋体の口部を簡便な手段で封止することができ、また、密封性も良好な袋体の封止具及び封止具付き袋体セットを提供すること。【解決手段】本発明に係る袋体の封止具１は、ねじ山１１２が形成された筒体１１とキャップ１２の組み合わせというシンプルかつコンパクトな構成からなり、携帯性に優れるとともに、筒体１１の開口部に、束ねて閉じた袋体の口部を挿入し、キャップ１２を螺合させることにより、レジ袋やゴミ袋等の袋体の口部を簡便かつ確実に密封性よく封止することができる。本発明に係る封止具１は、携帯性に優れ、かつ、密封性がよいので、ゴミ・汚物入れ袋や液体入れ袋等として使用できるとともに、災害等の緊急時の飲料水の貯蔵（一時的なウォータータンク等）等に広く使用することができる。【選択図】図１
2013249130.tif 000002
【特許請求の範囲】
【請求項１】
束ねて閉じた袋体の口部を封止するための袋体の封止具において、
前記束ねて閉じた袋体の口部を挿入可能な開口部を有し、外周にねじ山が形成された円筒状の筒体と、
前記筒体と螺合可能なように内周にねじ山が形成され、前記筒体と対向する面が開口される蓋付き円筒状のキャップと、を含むことを特徴とする袋体の封止具。
【請求項２】
請求項１に記載の袋体の封止具と、
当該封止具により口部が封止される袋体と、を含むことを特徴とする封止具付き袋体セット。
【請求項３】
前記袋体が、取っ手付きレジ袋であることを特徴とする請求項２に記載の封止具付き袋体セット。
【発明の詳細な説明】
【技術分野】
【０００１】
本発明は、袋体の封止具及び封止具付き袋体セットに関する。さらに詳しくは、レジ袋やゴミ袋等といった袋体の口部を封止することが可能な袋体の封止具及び封止具付き袋体セットに関する。
【背景技術】
【０００２】
ゴミ袋等の口部を封止するための封止具としては、これまでに種々の検討がなされており、口部に枠体等の治具を取り付けて封止するものや（例えば、特許文献１及び特許文献２を参照。）、ばね等の線状部材を巻き付けて封止するもの（例えば、特許文献３を参照。）が多かった。
【先行技術文献】
【特許文献】
【０００３】
【特許文献１】特開平９−７７０９５号公報
【特許文献２】特開２００６−６４７５９４号公報
【特許文献２】特開２０１２−６６８６５号公報
【発明の開示】
【発明が解決しようとする課題】
【０００４】
しかしながら、特許文献１や特許文献３に開示された技術については、口部の密封性が十分ではなく、例えば、袋体の内部に充填した内容物が液体であると、漏れが生じる場合があった。また、特許文献２に開示された技術については、構造が複雑であるため、簡便な手段で袋体の口部を確実に封止する手段の提供が望まれていた。
【０００５】
本発明の目的は、前記の課題に鑑みてなされたものであり、レジ袋やゴミ袋等といった袋体の口部を簡便な手段で封止することができ、また、密封性も良好な袋体の封止具及び封止具付き袋体セットを提供することにある。
【課題を解決するための手段】
【０００６】
前記の課題を解決するために、本発明に係る袋体の封止具は、束ねて閉じた袋体の口部を封止するための袋体の封止具において、前記束ねて閉じた袋体の口部を挿入可能な開口部を有し、外周にねじ山が形成された円筒状の筒体と、前記筒体と螺合可能なように内周にねじ山が形成され、前記筒体と対向する面が開口される蓋付き円筒状のキャップと、を含むことを特徴とする。
【０００７】
本発明に係る封止具付き袋体セットは、前記した本発明の袋体の封止具と、当該封止具により口部が封止される袋体と、を含むことを特徴とする。
【０００８】
本発明に係る封止具付き袋体セットは、前記した本発明において、前記袋体が、取っ手付きレジ袋であることを特徴とする。
【発明の効果】
【０００９】
本発明に係る袋体の封止具は、筒体とキャップというシンプルかつコンパクトな構成からなり、携帯性に優れるとともに、筒体の開口部に、束ねて閉じた袋体の口部を挿入し、キャップを螺合させるという簡便な操作で、レジ袋やゴミ袋等の袋体の口部を確実に密封性よく封止することができる。
【図面の簡単な説明】
【００１０】
【図１】本発明に係る袋体の封止具の一態様を示した斜視図である。
【図２】本発明に係る袋体の封止具を構成する筒体の一態様を示した斜視図である。
【図３】本発明に係る袋体の封止具を構成する筒体の一態様を示した側面図である。
【図４】本発明に係る袋体の封止具を構成するキャップの一態様を示した斜視図である。
【図５】本発明に係る袋体の封止具を構成するキャップの一態様を示した側面図である。
【図６】一般的なレジ袋を示した平面図である。
【図７】袋体の口部を封止する方法を示した説明図である。
【図８】袋体の口部を封止する方法を示した説明図である。
【図９】袋体の口部を封止する方法を示した説明図である。
【発明を実施するための形態】
【００１１】
以下、本発明に係る袋体の封止具の構成を図面に基づいて説明する。
【００１２】
（Ｉ）袋体の封止具１の構成：
図１は、本発明に係る袋体の封止具１の一態様を示した斜視図（筒体１１の半分程度の長さをキャップ１２に螺合した状態）、図２は本発明に係る袋体の封止具１を構成する筒体１１の一態様を示した斜視図、図３は、本発明に係る袋体の封止具１を構成する筒体１１の一態様を示した側面図、図４は本発明に係る袋体の封止具１を構成するキャップ１２の一態様を示した斜視図、図５は、本発明に係る袋体の封止具１を構成するキャップ１２の一態様を示した側面図（内周に形成したねじ山１２２が分かるように、向かって手前右半分を取り除いた状態）、をそれぞれ示す。
【００１３】
図１に示すように、本実施形態に係る袋体の封止具１（以下、単に「封止具１」とする場合がある。）は、束ねて閉じた袋体２の口部２１（充填物を入れるための開口された部分を指す。後記する図７等を参照。）を封止するためものであり、筒体１１及びキャップ１２から構成される。封止具１における筒体１１の外周とキャップ１２の内周には、それぞれねじ山１１２，１２２が形成されており、螺合可能とされている。
【００１４】
図２及び図３に示すように、封止具１を構成する円筒状の筒体１１には、束ねて閉じた袋体２の口部２１を挿入可能な開口部１１１が形成されており、開口部１１１の形状は、図２や図３では、断面視で円形状の態様を示している。前記したように、筒体１１の外周には、キャップ１２と螺合可能なように、ねじ山１１２が形成されている。
【００１５】
開口部１１１のサイズは、挿入される袋体２のサイズに対応して決定すればよく、例えば、図２等に示すように、開口部１１１の形状を断面視で円形状とした場合にあっては、開口部１１１の内径をφ３０〜３００ｍｍの範囲内とすることが好ましい。また、袋体２を一般的なレジ袋とした場合には、開口部１１１の内径をφ３０〜１００ｍｍの範囲内に、また、一般的なゴミ袋とした場合には、開口部１１１の内径をφ５０〜３００ｍｍの範囲内とすることが好ましい。
【００１６】
図４及び図５に示すように、キャップ１２は、前記した筒体１１と対向する面が開口され、かかる方向とは反対の面には蓋となる天面１２１が一体に形成された蓋付き円筒状の部材である。キャップ１２の内周は、筒体１１と螺合可能なように内周にねじ山１２２が形成されており、筒体１１の開口部１１１に袋体２の口部２１を挿入した状態で、筒体１１とキャップ１２が螺合することにより、袋体２の口部２１が塞がれて密封されることになる。
【００１７】
前記した筒体１１やキャップ１２は、例えば、ポリエチレン、ポリプロピレン等のポリオレフィン樹脂、ＡＢＳ樹脂等の合成樹脂や、アルミニウム等の金属材料により形成することができる。
【００１８】
（II）袋体２の口部１を封止する方法：
次に、本実施形態に係る袋体の封止具１を用いて、袋体２の口部２１を封止する方法の一例を、袋体２として図６に示すような一般的なレジ袋２を例に挙げて、図７ないし図９を用いて説明する。図６は、一般的なレジ袋を示した平面図であり、口部２１のほか、２つの取っ手２２と、両側にはマチ２３が形成されている態様を示している。また、図７ないし図９は、袋体２の口部１を封止する方法を示した説明図であり、図７は、束ねて閉じた袋体２の口部２１を、筒体１１の開口部１１１に挿入した状態、図８は、筒体１１の開口部１１１に袋体２の口部２１を挿入後、束ねた取っ手２２を広げた状態、図９は、キャップ１２を閉め、外側に折り曲げていた取っ手２２を伸ばした状態、をそれぞれ示している。
【００１９】
まず、袋体であるレジ袋２の口部２１から充填対象となる図示しない充填物（例えば水、汚物等）を充填し、２つの取っ手２２を伸ばして束ねるようにする。このようにして束ねて閉じた袋体２の口部２１を、図７に示すように、筒体１１の開口部１１１に挿入する。
【００２０】
次に、図８に示したように、束ねた取っ手２２を広げて外側に折り曲げ、キャップ１２を筒体１１と螺合させてキャップ１２を閉めて、袋体２の口部２１を塞いで密封する。その後、図９に示すように、外側に折り曲げていた取っ手２２を伸ばし、図示しない手で掴めるようにする。
【００２１】
なお、本発明に係る袋体の封止具１で封止する袋体２としては、前記したレジ袋に限られず、一般的なゴミ袋等、口部２１から水等の液体や汚物等を充填可能な袋体であれば特に制限されない。
【００２２】
（III）本発明の効果：
以上説明した本実施形態に係る袋体の封止具１は、筒体１１とキャップ１２の組み合わせというシンプルかつコンパクトな構成からなり、携帯性に優れるとともに、筒体１１の開口部１１１に、束ねて閉じた袋体２の口部２１を挿入し、キャップ１２を螺合させるという簡便な操作で、レジ袋やゴミ袋等の袋体２の口部２１を確実に密封性よく封止することができる。
【００２３】
本発明に係る袋体の封止具１は、シンプルでコンパクトな構成であるため、携帯性に優れ、かつ、密封性が良好であるため、ゴミ・汚物入れ袋や液体入れ袋等として使用できるとともに、災害等の緊急時の飲料水の貯蔵（一時的なウォータータンク等）、水分の多い食品の一時保管袋や、簡易トイレ等として広く使用することができる。また、乾燥剤等を入れて菓子入れ等のような小物入れに使用してもよい。
【００２４】
また、携帯性に優れる本発明の袋体の封止具１は、レジ袋やゴミ袋等の袋体２と組み合わせて封止具付き袋体セット３として使用するようにしてもよい。携帯性を考慮すれば、封止具１をレジ袋と組み合わせて封止具付き袋体セット３として使用するようにしてもよい。
【００２５】
（IV）実施形態の変形：
なお、以上説明した態様は、本発明の一態様を示したものであって、本発明は、前記し
た実施形態に限定されるものではなく、本発明の構成を備え、目的及び効果を達成できる
範囲内での変形や改良が、本発明の内容に含まれるものであることはいうまでもない。ま
た、本発明を実施する際における具体的な構造及び形状等は、本発明の目的及び効果を達
成できる範囲内において、他の構造や形状等としても問題はない。本発明は前記した各実
施形態に限定されるものではなく、本発明の目的を達成できる範囲での変形や改良は、本
発明に含まれるものである。
【００２６】
例えば、前記した実施形態では、筒体１１の開口部１１１の形状を断面視で円形状とした態様を示したが、これには限定されず、例えば、楕円形状、三角形、四角形、五角形、六角形等の多角形状等とするようにしてもよい。
【００２７】
また、前記した実施形態にあっては、袋体２の口部２１を封止する方法として、レジ袋２の口部２１から充填対象となる充填物を充填した後に、２つの取っ手２２を伸ばして束ねるようにした態様を示したが、これには制限されず、束ねて閉じた袋体２の口部２１を、筒体１１の開口部１１１に挿入し、束ねた取っ手２２を広げて、筒体１１の輪郭が現れるようにした後、充填対象となる充填物を充填するようにしてもよい。
その他、本発明の実施の際の具体的な構造及び形状等は、本発明の目的を達成できる範囲で他の構造等としてもよい。
【産業上の利用可能性】
【００２８】
本発明は、簡便かつ確実に袋体の口部を封止する手段として有利に使用することができ、産業上の利用可能性が非常に高い。
【符号の説明】
【００２９】
１  ……  袋体の封止具
１１  ……  筒体
１１１  ……  開口部
１１２  ……  ねじ山
１２  ……  キャップ
１２１  ……  天面
１２２  ……  ねじ山
２  ……  袋体（レジ袋）
２１  ……  口部
２２  ……  取っ手
２３  ……  マチ
３  ……    封止具付き袋体セット
【図１】
2013249130.tif 000003
【図２】
2013249130.tif 000004
【図３】
2013249130.tif 000005
【図４】
2013249130.tif 000006
【図５】
2013249130.tif 000007
【図６】
2013249130.tif 000008
【図７】
2013249130.tif 000009
【図８】
2013249130.tif 000010
【図９】
2013249130.tif 000011